Podtech/llm-jp-corpus-v4-ja_patent huggingface dataset:
(57)【要約】【課題】  長いネックレス用のストラップを短く畳めて、ネックレスの状態よりも長く伸ばせるストラップを提供する。【解決手段】  ネックレス本体の適当な個所にフック金具（７）に入る適当な開口部（１）、（２）、（３）、（４）、（５）を設け、フック金具（７）の先端を広く開口させ、ストップ金具（６）を設けたことを特徴とする。【選択図】図１
2005329207.tif 000002
【特許請求の範囲】
【請求項１】
ネックレス本体の適当な個所にフック金具（７）に入る適当な開口部（１）、（２）、（３）、（４）、（５）を設け、フック金具（７）の先端を広く開口させ、ストップ金具（６）を設けことを特徴としたストラップ。
【発明の詳細な説明】
【技術分野】
【０００１】  この発明は、携帯電話や小型カメラなどに使用するし、ネックレスとしても使えるストラップで、ストラップ金具のフックに開口部を収めることにより、長いネックレス本体を短く折り畳める様に工夫したことが特徴のものである。
また、ストップ金具を使って、ネックレスの状態より長く伸ばす事が出来るストラップに関するものである。
【背景技術】
【０００２】  従来、ストラップにカニカンやクリップを取り付け、ネックレスやブラスレットにして使用できるものが提案されている。
たとえば、分献は、登録実用新案第３０８８７８７号
【発明の開示】
【発明が解決しようとする課題】
【０００３】  従来、ネックレスタイプのストラップは、次のような欠点があった。
首にかけて使用しない場合には長くて邪魔である。
折り畳んで普通のストラップとして取り付けて置くことが出来るものが無い。
また、落とし忘れ防止に、衣服のベルト通し部分やバックのもち手などに取り付けられる携帯ケースはあるが、ベルト用とかバック用などと制限されるもので、その度にストラップの付け替えが面倒であった。
さらに、カニカンや引き輪の使用は、高齢者、爪を長く伸ばした人、指の太い人には、扱い難かった。
本発明は、これらの欠点を解決するためになされたものである。
【課題を解決するための手段】
【０００４】  ネックレス本体の適当な個所にフック金具（７）に入る適当な開口部（１）、（２）、（３）、（４）、（５）を設け、フック金具（７）の先端を広く開口させ、ストップ金具（６）を設ける。
本発明は、以上の構造からなる、畳める、伸ばせるストラップである。
【発明の効果】
【０００５】  長いネックレスタイプのストラップを、ネックレスにしない場合でも折り畳んで取り付けておくことが出来る。
また、ネックレス使用だけでなく、必要な大きさの新たな輪を作り、衣服のベルト通しやバックの持ち手など用途に応じて使い方を変えられる。
一つのストラップなので、用途に応じてストラップの付け替えの面倒が省ける。
【発明を実施するための最良の形態】
【０００６】  以下、本発明の実地の形態を説明する。
ネックレス本体の任意な個所にフック金具（７）に入る適当な開口部（１）、（２）、（３）、（４）、（５）を設け、開口部（５）にストップ金具（６）を取付け、開口部（１）、（２）、（３）、（４）、（５）を順にフック金具（７）に収め、フック金具の先端は開口部（１）、（２）、（３）、（４）、（５）を収めることの出来る空間を持たせ、筒状金具（８）の金具をスライドさせることで、フック金具（７）が閉じて、ネックレス本体が短く折り畳めることを特徴としたストラップ。
【実施例】
【０００７】  （イ）ネックレスストラップとしての使用の場合は、筒状の金具（８）を携帯電話方向にスライドさせると、フック金具（７）が現れるので、そのフック金具（７）に、開口部（１）と開口（５）を通して、再び、筒状の金具（８）をスライドさせ閉じると（図２）から（図３）の状態で使用できる。
（ロ）畳んで、普通のストラップ飾りとして使用の場合は、筒状の金具（８）を携帯電話方向にスライドさせると、フック金具（７）が現れるので、そのフック金具（７）に開口部（１）、（２）、（３）、（４）、（５）をすべて、フック金具（７）に収めて、再び、筒状の金具（８）をスライドさせて閉じるとフック金具が閉じる。（図３）
（ハ）バックなどに取り付ける場合は、フック金具（７）に開口部（１）だけを通して、筒状の金具（８）をスライドさせ閉じて、バックの持ち手などにネックレス本体を巻きつけ、ストップ金具（７）を開口部（４）に通して、新たな輪を作る。（図４）
【産業上の利用可能性】
【０００８】  本発明は特別な素材を選ばず、ネックレス本体部分は、チェーンの他に、革、ビーズ、貴金属、プラスティック、チタン、ひも、布など様々な素材に対応する構造なので、デザインも豊富に取り込むことが出来る。
さらに今後、キーホルダーやバックの持ち手などに応用できる。
【図面の簡単な説明】
【０００９】
【図１】  本発明の正面図
【図２】  本発明の筒状の金具をスライドさせるときの使用状態を示した説明図
【図３】  本発明のストラップを畳んだ状態を示した説明図
【図４】  本発明のストラップをバックなどに取り付けた状態を示した説明図
【符号の説明】
【００１０】      １  開口部
２  開口部
３  開口部
４  開口部
５  開口部
６  ストップ金具
７  フック金具
８  筒状の金具
９  携帯電話用のひも
１０  ストラップ本体
１１  取付け具本体
【図１】
2005329207.tif 000003
【図２】
2005329207.tif 000004
【図３】
2005329207.tif 000005
【図４】
2005329207.tif 000006
(57)【要約】【課題】  この発明は、審美的で使い易い歯列矯正用メタルブラケットに関するものである。【解決手段】  メタルブラケットの唇側面を合成樹脂、またはセラミックで歯冠色に前装することによって、審美的になる。また、バーティカルスロットを唇側と舌側に各々１本づつ付与することによって、ロックピンと補助装置を各々のバーティカルスロット内に独立して使用できるようになり、従来のブラケットよりも使い易くなる。【選択図】  図１
2005329204.tif 000002
【特許請求の範囲】
【請求項１】
（イ）メタルブラケットの唇側面（１）に合成樹脂、またはセラミックで歯冠色に前装する。
（ロ）ブラケット全体の大きさを、縦３．０ｍｍ横２．５ｍｍ厚さ２．５ｍｍ以下にする。ブラケットと歯面との接着面であるブラケットベース（５）の横幅を唇側面歯冠色前装部（１）の横幅と同じ大きさにする。また、ブラケットベースの縦幅ついては、唇側面歯冠色前装部（１）の縦幅と歯肉側のブラケットベースの縦幅を同じ大きさとするが、ブラケットベースの歯冠側の縦幅については、唇側面歯冠色前装部の縦幅より少し長くする。
（ハ）ワイヤースロット（３）を挟んで、唇側にロックピン専用のバーティカルスロット（２）と舌側に補助装置専用のバーティカルスロット（４）を付与する。
（ニ）ブラケットの構成要素は、（１）唇側面歯冠色前装部、（２）ロックピン専用のバーティカルスロット、（３）ワイヤースロット、（４）補助装置専用のバーティカルスロット、（５）凹凸を付与したブラケットベースである。
以上の如く構成された、歯列矯正用メタルブラケット。
【発明の詳細な説明】
【発明の詳細な説明】
【技術分野】
【０００１】  この発明は、唇側面からワイヤースロットが見えない新しいメタルブラケットを考え、バーティカルスロットを２本付与することで使い易くし、更に、その唇側面に歯冠色の前装を施した審美的なブラケットに関するものである。
【背景技術】
【０００２】  従来、金属色を隠したメタルブラケットはなく、審美的なものとしては、合成樹脂かセラミック材を使用したブラケットが主であった。これらのブラケットは、割れる、欠ける、汚れが目立つ、高価等の欠点を持っており、臨床的に満足のいくものではなかった。また、従来のブラケットは、バーティカルスロットが１本のみであり、いろいろな補助装置を使いにくいものであった。
【発明が解決しようとする課題】
【０００３】  本発明は、従来のブラケットの欠点を除いて、ワイヤーの滑りが他の材料より優れており、強度の高い金属の特徴を十分生かした、審美的で機能的なメタルブラケットを開発しようとするものである。
【課題を解決するための手段】
【０００４】  いまその解決手段を図面に追いながら説明する。
メタルブラケットを構成する要素は、図１のように（１）唇側面歯冠色前装部、（２）ロックピン専用のバーティカルスロット、（３）ワイヤースロット、（４）補助装置専用のバーティカルスロット、（５）ブラケットベースである。
これらの特徴を具体的に示すと、
（イ）メタルブラケットの唇側面（１）部を合成樹脂、又はセラミックで歯冠色に前装した。
（ロ）メタルブラケット全体の大きさを従来のものより小さくし、ブラケットベース（５）の横幅と唇側面歯冠色前装部（１）の横幅を同一にした。また、ブラケットベースの縦幅については、唇側面歯冠色前装部に比べ歯冠側を少し長めにした。
（ハ）バーティカルスロット（２）（４）を２本付与し頬側をロックピン専用とし、ロックピンの頭がブラケットの中に隠れるようにした。また、舌側のバーティカルスロットは補助装置専用とした。
【発明を実施するための最良の形態】
【０００５】  本装置は、唇側面のメタルの表面を合成樹脂又はセラミックで歯冠色に前装しており、またブラケットベースの大きさを唇側面の横幅と同じにしているため、口を開けたときや、笑ったときにブラケットの金属色が見えにくい。さらに、ロックピンの頭が、バーティカルスロットの中に隠れるようにしているため、非常に審美的である。
使い易さの点では、唇側にロックピン専用のバーティカルスロットと舌側に補助装置専用のバーティカルスロットを設置することによって、補助装置が必要なステージにおいても、ワイヤーをしっかりロックすることができ、補助装置の着脱も簡単に行える。
【発明の効果】
【０００６】  本ブラケットは、ワイヤーをロックピンで止める方法であるため、ワイヤーとブラケットスロット間の摩擦抵抗が非常に少ない。そのため、歯牙移動が早く、またスライディングメカニズムを用いることによって、６前歯を一塊として後方へ動かすことも容易に行える。また、傾斜した歯牙を正常に戻すために使用するアップライトスプリング等、補助装置専用のバーティカルスロット（５）を設けたため、ロックピンに邪魔されることなく使用できる。
そして、最大の特徴は、歯面に本ブラケットを接着したときに、唇側面が歯冠色であるため、非常に審美的であり、矯正患者の満足度が高い。
【図面の簡単な説明】
【図１】本発明の模式図（歯冠側、側面、唇側面）
【図２】本発明の模式図（歯肉側、側面、唇側面）
【図３】本発明の模式図（歯肉側、側面、ブラケットベース）
【図４】本発明の平面図（唇側面）
【図５】本発明の平面図（側面）
【図６】本発明の平面図（歯肉側）
【図７】本発明の平面図（歯冠側）
【符号の説明】
（１）は唇側面歯冠色前装部
（２）はロックピン用バーティカルスロット
（３）はワイヤースロット
（４）は補助装置用バーティカルスロット
（５）はブラケットベース
【図１】
2005329204.tif 000003
【図２】
2005329204.tif 000004
【図３】
2005329204.tif 000005
【図４】
2005329204.tif 000006
【図５】
2005329204.tif 000007
【図６】
2005329204.tif 000008
【図７】
2005329204.tif 000009
(57)【要約】【課題】  一般の工具（スパナ等）を使用し、金型に対して着脱自在に取り付けられ、いつでも簡単に作業できる。  また、液状の潤滑剤を挿入する挿入部により、作動するごとに微量な潤滑剤が内部に入り込み、常時作動状態を保つことのできるプランジャを提供する。【解決手段】  外周に雌ネジ部を形成してなる筒体の内部に弾性体により出入りする摺動体を備えてなるプランジャにおいて、筒体の先端部を多面体に形成してなる取付部を設けてなることを特徴とする。【選択図】  図１
2005329458.tif 000002
【特許請求の範囲】
【請求項１】
外周に雌ネジ部を形成してなる筒体の内部に弾性体により出入りする摺動体を備えてなるプランジャにおいて、筒体の先端部を多面体に形成してなる取付部を設けてなることを特徴とするプランジャ。
【請求項２】
取付部の対角寸法が、筒体の胴径より小さくすると共に、段差状に形成してなることを特徴とする請求項１記載のプランジャ。
【請求項３】
取付部が、六角筒形であることを特徴とする請求項１又は２記載のプランジャ。
【請求項４】
筒体の先端部に潤滑剤挿入部を設けてなることを特徴とするプランジャ。
【発明の詳細な説明】
【技術分野】
【０００１】  本発明は、金型に螺設する場合に、一般の工具等を使用し、確実に着脱できるプランジャに関するものである。
【背景技術】
【０００２】  従来の技術としては、外側面が金型に嵌着される筒体の内側面の一側部と他側部との間に設けられた弾性体により不勢される摺動体を備えたスプリングプランジャにおいて、前記筒体の内側面と前記摺動体との摺動面にブッシュを装着することを特徴とするスプリングプランジャがあり、前記ブッシュが自己潤滑性材料で形成してなるものである。（特許文献１参照）
【特許文献１】  特開平１１−２４４９５５号  公報
【発明の開示】
【発明が解決しようとする課題】
【０００３】  上記のスプリングプランジャにおいては、金型に取り付けるのに凹部（２ｉ）に専用の治具を掛けて回すものであり、凹部（２ｉ）に嵌合するツメが折れて取り外しできないことがあり、専用治具のため、緊急時において作業がストップすることがある。
また、自己潤滑性材料は樹脂材であり、固体であるため切断粉等が内部に入り込んだ場合、作動しなくなる場合がある。【０００４】  本発明は、従来の問題点に鑑みなされたもので、その目的は、一般の工具（スパナ等）を使用し、金型に対して着脱自在に取り付けられ、いつでも簡単に作業できる。
また、液状の潤滑剤を挿入する挿入部により、作動するごとに微量な潤滑剤が内部に入り込み、常時作動状態を保つことのできるプランジャを提供するものである。
【課題を解決するための手段】
【０００５】  上記問題点を解決する手段として、外周に雌ネジ部を形成してなる筒体の内部に弾性体により出入りする摺動体を備えてなるプランジャにおいて、筒体の先端部を多面体に形成してなる取付部を設けてなること。また、取付部の対角寸法が、筒体の胴径より小さくすると共に、段差状に形成してなること。さらに、取付部が、六角筒形であること。その上、筒体の先端部に潤滑剤挿入部を設けてなることを特徴とする。
【発明の効果】
【０００６】  上述したように、本発明のプランジャによれば、一般の工具（スパナ等）を使用し、いつでも簡単に取り付け、取り外し作業ができ、多角形面にて螺設できるため、従来のようにツメが折れることなく確実に作業できると共に、潤滑剤挿入部を設けることにより潤滑剤が常に内部に入り込み、切断粉は入り込みにくい構造としている。
【発明を実施するための最良の形態】
【実施例１】
【０００７】  プランジャ１は、外周に雌ネジ部２ａを形成してなる筒体２の内部に、スプリングによる弾性体３により出入りするピン形の摺動体４を備えてなると共に、筒体２の先端部を六角筒形に形成してなる取付部５を一体に設けてなるものである。
なお、弾性体３は六角レンチ等で螺設する押部６にて内設してなる。【０００８】  つぎに、取付例を説明する。
主に、打抜プレス金型や成形プレス金型の被加工物を押上げたり押下げたりする時に使用するもので、例えば下型Ｓの取付穴Ｓａにプランジャ１を、取付部５に六角レンチＲやスパナ等を差し込み、回転させることにより螺設する。
その後、プレス加工時にて被加工物Ｈを押上げるものである。
なお、取り外しも同様に行うものである。
【実施例２】
【０００９】  つぎに、第２実施例のプランジャを説明する。
プランジャ２１は、上記と同様な構造に加え、取付部２５の側部に貫通する潤滑剤挿入部２５ａを設けてなるものである。【００１０】  このプランジャ２１は、下型Ｓ１に取り付けた後、空間部Ｋ内に潤滑剤Ｚ（潤滑油等）を入れることにより、潤滑剤挿入部２５ａから内部に入り込み、摺動体２４をスムーズに作動させることができる。
【実施例３】
【００１１】  第３実施例のプランジャ３１は、筒体３２の先端面に凹状の潤滑剤挿入部３５ａを設けてなるもので、切断粉を入りにくくするためカエリ３５ａ１を設けてなるものである。【００１２】  上記の各実施例において、大きさや材質等は必要によって決めればよい。
また、取付部の形状も六角形に限定せず、四角形等でもよい。
さらに、本発明はスプリングプランジャ（先端部にピン形の摺動体を設けてなる）を主として記載（第１実施例〜第３実施例）しているが、ボールプランジャ（先端部に球体の摺動体を設けてなる）にも使用できるものである。（第４実施例）
このプランジャ４１は、球体による摺動体４４を設けると共に、六角筒形に形成してなる取付部４５を設けてなるもので、工作・工作物・工作治具・工作機械等のテーブルや移動面にボールプランジャを埋め込み、被加工物の移動をスムーズに行うことができるものである。
【図面の簡単な説明】
【００１３】
【図１】  本発明の第１実施形態を示すプランジャの一部縦断正面図。
【図２】  本発明の第１実施形態を示すプランジャの平面図。
【図３】  本発明の第１実施形態を示すプランジャの使用状態図。
【図４】  本発明の第２実施形態を示すプランジャの一部縦断正面図。
【図５】  本発明の第２実施形態を示すプランジャの平面図。
【図６】  本発明の第３実施形態を示すプランジャの一部縦断正面図。
【図７】  本発明の第４実施形態を示すプランジャの一部縦断正面図。
【図８】  本発明の第４実施形態を示すプランジャの平面図。
【符号の説明】
【００１４】  １−−−プランジャ
２−−−筒体
３−−−弾性体
４−−−摺動体
５−−−取付部
【図１】
2005329458.tif 000003
【図２】
2005329458.tif 000004
【図３】
2005329458.tif 000005
【図４】
2005329458.tif 000006
【図５】
2005329458.tif 000007
【図６】
2005329458.tif 000008
【図７】
2005329458.tif 000009
【図８】
2005329458.tif 000010
(57)【要約】【課題】  本発明は、鋳物品全般の衝撃強度（シャルピー値）が小さく脆い特性を解決する為に成されたものであり、プレス機を用いて、鋳物を摂氏温度で２００度以上に加熱し、プレス機でコイニング成形圧力を加えて変形成形を誘発させて、衝撃値（シャルピー値）の向上を目的とし、引っ張り強度値のアップも同時に行う事を目的とし、引っ張り強度と衝撃強度の相反する事項を同時に向上させる高強度鋳物の製作方法である。【解決と手段】  本発明では鋳物素材を製作後、鋳物素材を別途２００度以上に加熱し、温間加工域以上の温度範囲でプレス機を用いて圧力を加えると鋳物内部組織の球状化率を向上させる事とカーボンの球形状を微細化する事が可能となり、引っ張り強度、衝撃強度の双方を大幅に強くする事が可能と成る高強度鋳物の製作方法である。【選択図】図１
2005329456.tif 000002
【特許請求の範囲】
【請求項１】
鋳物品を生産する工程で使用する水は、１部又は全てにおいて蒸留した水、又は不純物を取り除いた純水、又はイオン化した水を使用することで衝撃強度値を著しく向上させる事が可能となる高強度鋳物の製作方法。
【請求項２】
ＦＣ又はＦＣＤ材の鋳物を製作し、その後、摂氏２００度以上９００度以下の範囲で鋳物品を加熱し、プレス機を用いて金型の上型、下型間で鋳物素材を挟みこんで素材の一部ないし全部にプレス熱間、温間域でツブシ鍛造加工を加えそのツブシ成形率は、鋳物の形状により異なるが２％以上６０％以下の範囲で成形すると、鋳物内部組織は、肉の移動により金属組織内に変化が起き、特にＦＣＤ材の場合ではカーボンの球状化率が上がり、衝撃強度（シャルピー値）が劇的に上昇する事を確認し、その上昇率は、加工前と比較して２倍以上高くなる高強度鋳物の製作方法。
【発明の詳細な説明】
【技術分野】
【０００１】  鋳物品の特徴として複雑な形状が簡単に製作できるが、衝撃強度面で特に脆さ（シャルピー値）が問題視されている。脆さを強化する為には焼鈍を施すと引っ張り強度が著しく低下する。その為、衝撃強度を必要としている分野では、熱間鍛造品や冷間鍛造品が主に使用されていて、鋳物の強度面の悪さで敬遠されていて、鋳物品の複雑な形状的長所を利用しつつ、プレス機による加工で衝撃強度（シャルピー値）を上げる事ができれば高強度鋳物が安価に製作できる。
【背景技術】
【０００２】  従来では、鋳物品の衝撃強度に対する補強方法が今のところ無く、その為、衝撃強度を必要としている分野では、熱間鍛造品や冷間鍛造品が主に使用されていて、鋳物の衝撃強度が劣悪な為利用範囲を狭めている。鋳物品は一般的には形状を大きくし、厚さを増やして強度を増す事が多く、その為、素材重量が重くなる短所を持っている。
【特許文献１】
【０００３】
【発明の開示】
【発明が解決しようとする課題】
【０００４】  本発明は、鋳物品全般の衝撃値（シャルピー値）が小さく脆い特性を解決する為に成されたものであり、汎用プレス機を用いて、鋳物を摂氏温度を２００度以上に加熱し、プレス機でコイニング成形加圧を加えて変形成形を行い、素材の内部組織の圧力による肉の移動をさせる事で球状化率をアップさせ、衝撃値（シャルピー値）の向上を目的とし、引っ張り強度値のアップも同時に行う事を目的とし、引っ張り強度と衝撃値の相反する事を同時に向上させる高強度鋳物の製作方法である。
【発明が解決するための手段】
【０００５】  本発明では、鋳物素材製作後別途２００度以上に加熱し、温間加工以上の温度範囲でプレス機を用いて圧力を加えると鋳物内部組織の球状化率を向上させる事とカーボンの球形状を微細化する事が可能となり引っ張り強度、衝撃強度を大幅に強くする事を可能とする高強度鋳物の製作方法である。
【発明の効果】
【０００６】  鋳物素材に加熱して温間又は熱間状態でプレス機で加圧を加えると、球状化率を向上化させる事で一般鋳物と比較して３〜５倍の衝撃強度をアップする事が可能となり、鋳物の応用範囲が大幅に増加する事が可能である。
【発明を実施するための最良の形態】
【０００７】  ダイス１が下側でパンチ２が上側に設置された熱、温間金型図１による説明を行う。
鋳物素材図２を下側メスダイス１中央部へ設置し、メスダイス中心部設置を確認後パンチは下降し素材を挟み込みコイニング成形加工を行い、加工後素材はダイス１上に残り、パンチ２は上昇し加工を終了する。【０００８】鋳物加工物の外形の大きさと厚さにより２％〜４０％程度のコイニング成形するが本加工では幅５０ミリと長さ１００ミリと厚さ６．５ミリのＦＣＤ４５０材を厚さのみ６．５ミリを５ミリまで薄くするコイニング成形を摂氏６００度±３０度と７００度±３０度の２種類の加工を実施し、シャルピー値は以下の通りの結果を得る事ができた。
ＦＣＤ４５０鋳放し品の数値：１ｃｍ２：２２／２４／２５［シャルピー値］
摂氏７００度±３０度でプレス・コイニング成形・成形率１８％
温間プレス・コイニング成形後数値：１ｃｍ２：６８／７０／８８［シャルピー値］
ＦＣＤ４５０鋳放し品の数値：１ｃｍ２：２１／２２／２１［シャルピー値］
摂氏６００度±３０度でプレス・コイニング成形・成形率１５％
温間プレス・コイニング成形後数値：１ｃｍ２：６８／７８／７８［シャルピー値］
【図面の簡単な説明】
【０００９】
【図１】パンチ上側、ダイス下側のプレス金型正面図である。
【図２】鋳物素材の加工前図
【図３】鋳物の熱間・温間の加工後の図
【符号の説明】
【００１０】１．．．ダイス
２．．．パンチ
【図１】
2005329456.tif 000003
【図２】
2005329456.tif 000004
【図３】
2005329456.tif 000005
(57)【要約】【課題】浴室の出入口（脱衣場）で指圧マットを使い易くする。【解決手段】複数個の隆起１１が基盤１２に突設された合成樹脂製の指圧マット１３を、パイルに覆われたパイルマット１４の表面の片端に、一体的に付設する。  指圧マット１３は、パイルに覆われたパイルマット１４の片端に設けられているので、足の濡れたまま使用しても床面が汚れることがなく、その使用を兼ねて足を拭くことが出来、固い隆起１１と柔らかいパイル面（１４）とを交互に踏んで指圧効果を高めることも出来、その使用することを嫌う人がいても脱衣場の片隅に押し退けられるようなことはなく、通常の足拭きマット（１４）と一体になっているので、使用を嫌っていた人でも次第に指圧マット１３への馴染みが生じ、使い易くなる。従って、指圧マット１３の使用を促すうえでも、本発明の足拭きマットは実用的である。【選択図】図１
2005329117.tif 000002
【特許請求の範囲】
【請求項１】
複数個の隆起（１１）が基盤（１２）に突設された合成樹脂製の指圧マット（１３）が、パイルに覆われたパイルマット（１４）の表面の片端に、一体的に付設されている足拭きマット。
【発明の詳細な説明】
【技術分野】
【０００１】
本発明は、主として浴室の出入口（脱衣場）に置敷使用される足拭きマットに関するものである。
【背景技術】
【０００２】
家具の移動を容易にするためにパイル面に合成樹脂を帯状に盛り上げて家具摺動用レールを付設したカーペット（例えば、特許文献１参照）や、足を載せる合成樹脂製のヒールマットをパイル面に付設した自動車床マット（例えば、特許文献２参照）、視覚障害者の標識となる凸部をパイル面に突設した視覚障害者用カーペット（例えば、特許文献３参照）等のパイル面に合成樹脂製の凸部を形成した種々のマットやカーペット（敷物）が知られている。
【特許文献１】特開昭５４−１２１５２０号公報（特公昭５８−１５１２２）
【特許文献２】実開昭５５−３２２１０号公報
【特許文献３】特開平１１−２２５８６８号公報（特許第２９６４２３７号）
【発明の開示】
【発明が解決しようとする課題】
【０００３】
これらの合成樹脂製の凸部を有するマットやカーペットは、その凸部の形状や機能乃至使用目的からして足拭きマットに転用することは出来ず、又、転用されることはない。浴室の出入口（脱衣場）には、吸水性繊維に成るパイルによって表面が覆われた足拭きマットと共に、それと略同程度の大きさの合成樹脂製の指圧マットが並設されることがある。その指圧マットの表面には足裏を刺激する多数の凹凸が付けられている。しかし、指圧マットは、好き嫌いがあって人によっては使用されず、時として脱衣場の片端に押し退けられる。そのような場合は、それを使用とするとき、その都度探し出さなければならず、何かとトラブルが生じる。また、指圧マットの素材である合成樹脂は吸水性がなく、浴室の出入口では足の濡れた状態で踏んで使用されるので、その床回りが汚れることも、指圧マットが敬遠される一因になっている。
【０００４】
そこで本発明は、浴室の出入口（脱衣場）で指圧マットを使い易くすることを目的とする。
【課題を解決するための手段】
【０００５】
本発明に係る足拭きマットは、複数個の隆起１１が基盤１２に突設された合成樹脂製の指圧マット１３が、パイルに覆われたパイルマット１４の表面の片端に、一体的に付設されていることを特徴とする。
【発明の効果】
【０００６】
本発明によると、指圧マット１３がパイルに覆われたパイルマット１４の片端に設けられているので、足の濡れたまま使用しても床面が汚れることがなく、その使用を兼ねて足を拭くことが出来る。また、固い隆起１１と柔らかいパイル面（１４）とを交互に踏んで、指圧マットによる指圧効果を高めることが出来る。
【０００７】
指圧マット１３は、通常の足拭きマットであるパイルマット１４と一体になっているので、指圧マットを使用することを嫌う人がいても、指圧マット１３だけが脱衣場の片隅に押し退けられるようなことはなく、それを使用しようとするとき遂一探し出す必要もなくなる。
【０００８】
指圧マット１３は、通常の足拭きマットであるパイルマット１４と一体になっているので、最初は嫌っていても次第に指圧マット１３への馴染みが生じ、それが使い易くなる。従って、指圧マット１３の使用を促すうえでも本発明の足拭きマットは実用的である。
【０００９】
指圧マット１３は、両足が載る２０ｃｍ角〜３０ｃｍ角（タテ・ヨコ２０〜３０ｃｍ）程度の大きさのものでよい。一方、慣用される足拭きマット（パイルマット）は、概して縦４０ｃｍ以上、横６０ｃｍ以上の矩形を成している。従って、そのパイルマットの片端に指圧マットを付設しても、それを二ツ折にして干物竿等に掛けることが出来る。このため、本発明の足拭きマットを在来品と同様に扱うことが出来る。
【００１０】
指圧マット１３は、パイルマット１４の片端に付設され、周囲がパイル面で囲まれているので、格別「指圧マット」としての硬いイメージを与えず、パイルとの感触の相異によってパイルマット１４に付けられたワンポイントマークの如き美観を呈する。このため、指圧マット１３を付設したことで足拭きマットの商品価値が高まり、指圧マット１３も馴染み易く使い易いものとなる。
【発明を実施するための最良の形態】
【００１１】
足拭きマット１３の美観を高めるためには、指圧マットの基盤１２を花、葉、動物等を象るように縁取るとよい。指圧マット１３の隆起１１の大きさ（Ｄ）や高さは、慣用される指圧マットの隆起に準じて設定される。指圧マット１３の縦横の寸法（Ｆ・Ｐ）は、前記の通り２０〜３０ｃｍにすればよい。
【００１２】
指圧マット１３は、種々の合成樹脂によって構成することが出来るが、可塑剤や安定剤等の組成分の移動による汚染を避け、足に馴染み易いものとするためには、シリコン系樹脂（シリコンゴム）で指圧マット１３を形成するとよい。指圧マット１３は、流動性樹脂組成物をパイルマット１４の表面に塗着し、型材を押圧してパイルマット１４と一体的に成型することが出来、又、それを予め樹脂組成物で成型し、パイルマット１４の表面に接着し、或いは、ホックや面ファスナー等を介して着脱自在にパイルマット１４に取り付けることも出来る。パイルマット１４のパイルには、吸水性アクリル繊維やセルロース系繊維等の吸水性繊維を適用するとよい。パイルマット１４の表面には適宜図柄模様が描出される。
【図面の簡単な説明】
【００１３】
【図１】本発明に係る足拭きマットの平面図である。
【図２】本発明に係る足拭きマットの平面図である。
【符号の説明】
【００１４】
１１：隆起
１２：基盤
１３：指圧マット
１４：パイルマット
【図１】
2005329117.tif 000003
【図２】
2005329117.tif 000004
(57)【要約】【課題】  従来の洗濯物物干し具は洗濯物を干すための物でしかなく、女性等が下着を干すのに他人の目にさらされるため室内に干したり、来客があった場合などは洗濯物を片付けたり、また、室外に干した場合は下着の盗難に合うなどの問題が有り、下着を干すのに苦慮していた。【解決手段】  女性等が洗濯物の下着を干す場合、他人の目を気にしたり下着の盗難の恐れがあるため、普段から下着を干すのに苦慮していた。そこで洗濯物物干し具の外側にカーテンレール状のレールを取り付け、メッシュ生地との接合部分のローラーに取り外しができる様にローラーにボタンを取り付け、そこにメッシュ生地を取り付ける。物干し具は円形状にしメッシュ生地は半円形の２枚で円形になる様にし、レールの部分の接続はマグネットとし、メッシュ生地の部分はマジックテープで接合する。メッシュ生地の長さは５０ｃｍ位とし、メッシュ生地に模様や図柄を付ければさらに中の下着が見えにくく、オシャレな洗濯物物干し具にする事で課題を解決出来る様にした。【選択図】  図２
2005329184.tif 000002
【特許請求の範囲】
【請求項１】
本発明は、女性の下着等を洗濯後に屋外や室内に洗濯物物干し具に干す時に洗濯物物干し具に、カーテンレール状の加工を施し、メッシュ生地の布を長さ５０ｃｍ程度で洗濯物物干し具を包み覆うことで、中に干した下着が見えにくくまた、下着の盗難防止に役立つ機能を備えた洗濯物物干し具である。
【請求項２】
メッシュ生地はカーテンレールから取り外しできる様に、カーテンレールのローラー部分にボタン止めとし、カーテンレールとメッシュ生地は、半円形の分割として、その接続部分はカーテンレール部はマグネットとし、メッシュ生地の部分はマジックテープとする。
【請求項３】
洗濯物の下着がさらに見えにくくするために、メッシュ生地にいろいろな色彩の模様や図柄を施す。
【発明の詳細な説明】
【技術分野】
【０００１】  洗濯物物干し具のを円形状の形とし、円形の外側にカーテンレール状のレールを取り付け、メッシュ生地の布で洗濯物の下着を覆うことで、他人に下着を見られることなく、また、下着の盗難防止に役立つ洗濯物物干し具にしたものである。
【背景技術】
【０００２】  従来の洗濯物物干し具は、あくまで洗濯物をただ干す物でしかなく、女性等の下着を干す場合他人の目にさらされやすく、また、下着の盗難に合う等の欠点があり女性が下着を干すのに苦慮していた。
【発明の開示】
【発明が解決しようとする課題】
【０００３】  従来の洗濯物物干し具は、あくまで洗濯物をただ干す物でしかなく、女性達にとって下着を干す事に、他人の目を気にしたり下着の盗難にあわないように室内に干したり、気にしながらも従来の洗濯物物干し具を使用しなければならなかった。
【課題を解決するための手段】
【０００４】  本発明は、洗濯物物干し具１の外側部分にカーテンレール状のレール５を取り付け、レールの中にローラー７をはめ込みメッシュ生地９を取り付ける。その取り付け方はメッシュ生地が取り外し洗濯できる様に、ローラー７にボタン式８を付ける。レール部分は半円形の分割とし、レール部分のメッシュ生地の接続はマグネット７とし、メッシュ生地どうしの半円形の接続部分は、マジックテープ１０とする。
【発明の効果】
【０００５】  本発明は、洗濯物物干し具の外側にメッシュ生地のカバーを取り付ける事で、女性等の下着が他人の目にさらされることがなくなる事と、下着の盗難防止に役立つようにした洗濯物物干し具である。
以下、本発明の実施の形態について説明する。
（イ）洗濯物物干し具の本体外側にカーテンレール状の物を取り付ける。
（ロ）カーテンレール状の物に取り外しができる様にボタンでメッシュ生地のカバーを取り付ける。
（ハ）メッシュ生地のカバーの接続をカーテンレール部分はマグネットとしメッシュ生地の部分はマジックテープとする。
【実施例１】
【０００６】  女性等が洗濯物の下着を干す場合、他人の目を気にしたり下着の盗難の恐れがあるため、普段から下着を干すのに苦慮していた。そこで洗濯物物干し具の外側にカーテンレール状のレールを取り付け、メッシュ生地との接合部分のローラーに取り外しができる様にローラーにボタンを取り付け、そこにメッシュ生地を取り付ける。物干し具は円形状にしメッシュ生地は半円形の２枚で円形になる様にし、レールの部分の接続はマグネットとし、メッシュ生地の部分はマジックテープで接合する。メッシュ生地の長さは５０ｃｍ位とし、メッシュ生地に模様や図柄を付ければさらに中の下着が見えにくく、オシャレな洗濯物物干し具に出来る。
【図面の簡単な説明】
【０００７】
【図１】  本発明の洗濯物物干し具の正面図である。
【図２】  本発明の洗濯物物干し具の断面図である。
【符号の説明】
【０００８】  １．洗濯物物干し具本体
２．物干し具吊りチェーン
３．クリップ
４．カーテンレール
５．ローラー
６．マグネット
７．ローラーと一体型ボタン
８．メッシュ生地
９．マジックテープ
１０．ピンチ
【図１】
2005329184.tif 000003
【図２】
2005329184.tif 000004
(57)【要約】【課題】  治療の難しいとされるガン治療を的確に達成すると共に、治療によって発生する他の生体、機能に対する悪影響、副作用を極力低減するガン治療器を提供する。【解決手段】  磁力線に依って発熱する発熱体を、人体内部に挿入、ガン組織に接触せしめ、Ｉ．Ｈ．の機構によって、この発熱体を発熱させ、ガン細胞を加熱死滅させる方法によるガン治療効果と、副作用の低減化を容易としたＩ．Ｈ．（電磁発熱）を利用したガン治療器。【選択図】  図１
2005329188.tif 000002
【特許請求の範囲】
【請求項１】
ガン細胞を加熱して死滅させるための、電磁発熱に適した鉄、又はステンレスを素材として、人体に挿入して、ガン組織に接触して加熱効果を得る良好な形状（例として円板型、スプーン型、コテ型等）に成形した発熱体（１）を、それぞれセラミック製の断熱体（２）を介して、磁力線で発熱し難い合金で、曲折可能な支持具（３）に接続した形状の発熱体機構と。
この機構の発熱体を発熱させるための電磁コイル（４）を、セラミックよりなるトッププレート（断熱材）（５）に接着、人体外部に設置できる形状に成形、電源よりの電力を変換、調整、制御するための制御器（６）と結合した形態のＩ．Ｈ．（電磁発熱）機構とによって、ガン治療器を構成する。
以上のように構成した機構の発熱体を人体内部に挿入、ガン組織に接触させたのち、Ｉ．Ｈ．機構の磁力線によって発熱せしめ、ガン細胞を的確に加熱死滅させると共に、副作用の発生を極力低減して、ガン治療を容易としたことを特徴とするＩ．Ｈ．（電磁発熱）を利用したガン治療器。
【発明の詳細な説明】
【技術分野】
【０００１】  本発明は、Ｉ．Ｈ．（電磁発熱）の発熱作用を利用したガン治療器に関するものである。
【背景技術】
【０００２】  ガンに対する治療は、摘出手術、放射線治療、抗ガン剤による治療等が行われている。
【発明の開示】
【発明が解決しようとする課題】
【０００３】  ガンは治療が難しい病気とされているが、的確な治療と、治療によって発生する、他の生体、機能に対する悪影響、副作用の少ない治療法、治療器が要望される。
【課題を解決するための手段】
【０００４】  本発明では、Ｉ．Ｈ．（電磁発熱）の、鉄、又はステンレスが磁力線によって発熱する作用を利用、鉄、又はステンレスで発熱体を作製、この発熱体をガンに接触、磁力線によって発熱せしめ、ガンを加熱して死滅させる方法により、可及的にガンのみを的確に破壊、他の細胞に対する副作用を低減して、ガン治療を達成する。
【発明の効果】
【０００５】（イ）ガン細胞は、他の細胞に較べて熱に弱いとされる。本発明では、直接ガン細胞を発    熱体によって加熱、死滅させる方法を用いたので、治療効果が的確である。
（ロ）ガンを破壊、死滅させる温度が比較的低温で可能、又、人体の熱伝導率も低いので    、加熱によるガン周囲への影響も少なく、副作用の心配が少ない。
（ハ）周囲の影響が少ないので、広範囲のガン組織に対しても反復治療が可能となる。
（ニ）人体を通過する磁力線があまり強くなく、安全性が高い。
（ホ）機構が比較的簡単で、操作、制御が容易である。
【発明を実施するための最良の形態】
【０００６】  実施の形態について説明すると、ガン細胞を加熱して死滅させるための、電磁発熱に適した鉄、又はステンレスを素材として、人体に挿入して、ガン組織に接触して加熱効果を得る良好な形状（例として、内視鏡併用方式にあっては円板型、スプーン型、コテ型、体内へ直接挿入する方式にあっては棒状、球状等）に成形した発熱体（１）を、それぞれセラミック製の断熱体（２）を介して、磁力線で発熱し難い合金で、曲折可能な支持具（３）に接続した発熱体機構を構成する。
この機構の発熱体を発熱させるための電磁コイル（４）（身体表面近くのガンに対しては平板型、身体内部のガンに対しては円筒型）を、トッププレート（断熱材）（５）に接着、人体外部に設置できる形状に成形する。電源よりの電力を変換、調整、制御するための制御器（６）を設け、導線にてコイルと結合、Ｉ．Ｈ．機構を構成する。
以上のように構成した機構の発熱体を人体内部に挿入、ガンに接触、Ｉ．Ｈ．の磁力線により発熱させる構造とする。
実施例によって説明すると、図１は胃ガンの治療の１例を示す。
内視鏡によってガンを確認、この場合は、ガン組織が突起状であるので、発熱体はスプーン型を使用、支持具の操作により、ガンを覆うように設置する。次に胃の外方、身体外周上に円筒型電磁コイルを設置し、制御器を通じて電力を供給する。
電力により電磁コイルは磁力線を発生、磁力線によって発熱体内に渦電流が発生、電気抵抗によって発熱体が発熱、接触するガン細胞を加熱死滅させる。
図２は肝臓ガンの治療の１例を示す。
内視鏡の使用が困難なガンに対しては、Ｘ線、超音波撮影によってガンを確認、棒状、又は球状の発熱体を、身体に直接開けた穴より、ガン中心部に挿入、ガンを中心より加熱死滅させる。
身体表面に近いガンに対しては、平板型電磁コイルを患部外面近くに設置して、同じく発熱体を作用せしめる。
ガン細胞は普通約４１℃〜４３℃の温度によって死滅すると言われている。本装置によれば比較的低温でガンを破壊できるので、周囲への影響、やけど、ただれ等副作用の懸念が少ない。又、人体の熱伝導率も低いので、加熱の影響が広範囲に及ばず、従って反復治療が容易である。
以上のように可及的にガンのみを的確に破壊し、治療による副作用の低減化を容易としたガン治療器である。
【図面の簡単な説明】
【０００７】
【図１】  胃ガン治療の概念図
【図２】  肝臓ガン治療の概念図
【符号の説明】
【０００８】  １  発熱体
２  断熱体
３  支持具
４  電磁コイル
５  トッププレート
６  制御器
７  内視鏡
８  人体
９  ガン組織
１０  胃
１１  肝臓
【図１】
2005329188.tif 000003
【図２】
2005329188.tif 000004
(57)【要約】【課題】  病人が薬の飲み忘れや飲み過ぎのため，治病の遅れや，事故予防のために，薬入れ箱を作るのが目的である。【解決手段】  小箱を３つに仕切って，それぞれふたを作り，そのふたに二重層の標示板を付けて朝昼夕の薬の飲み忘れや，飲み過ぎをしないようにして，治病の遅れや事故を防げるようにした。【選択図】  図１
2005329186.tif 000002
【特許請求の範囲】
【請求項１】
各ふたに飲みました，飲んでませんの標示を二重層式にしたこと
【請求項２】
薬入れを朝昼夕と仕切ったこと
【発明の詳細な説明】
【発明の詳細な説明】
【発明に属する技術分野】
【００１】  この発明は，小箱を３つに仕切り，それぞれふたを作り，そのふたに二重層の標示板を作り，３つの箱に朝食後，昼食後，夕食後そして飲みました，飲んでませんの文字を書き入れたおくすりばんに関するものである。
【背景技術】
【００２】  従来は，病院から持ち帰った薬袋から，その都度薬を取り出して薬を飲んでいたが，これでは何の制約もないので，つい薬を飲み忘れたり，飲み過ぎたりして治病を遅らせたり又寝たきりや死亡の原因となっていた。
【発明が解決しょうとする課題】
【００３】  本発明は，その欠点を無くすため，小箱を作り３つに仕切って朝，昼，夕とそれぞれ薬を入れておき，飲んだらつまみを押し上げておくと飲みましたの標示が出るので，飲み忘れることも飲み過ぎることもないようにするのを課題として研究を進めた。
【課題を解決するための手段】
【００４】  薬の飲み忘れや薬の飲み過ぎを防ぐには，病院から持ち帰った薬袋から，その都度出して飲むのではなくて毎日くすりばんに薬を入れ替えて飲む，飲んだら直ぐつまみを押し上げると飲みましたの標示が出る，飲んでいない時には飲んでませんの標示が出るので，これが最上であることを発見した。
【発明を実施するための最良の形態】
【００５】  本発明を実施するにあたって，先ずベニヤ板で小箱を作りその小箱を３つに仕切って朝食後，昼食後，夕食後とそして，それぞれにふたを作り，そこに二重層の標示板を作った出し入れの標示板が自然に動かないために小さな凹凸を付けた。
木製なら手でも出来るが多くは作れない。これはプラスチックが本命だと思った。その方が大量生産も可能だし使い勝手も良いと思う。
【発明の効果】
【００６】  本発明は，以上のような構成だから薬の飲み忘れや飲み過ぎによる事故や治病の遅れを防ぐことになり，このおくすりばんを利用している内に薬を確実に飲む習慣もつく。
【図面の簡単な説明】
【図１】  本発明の正面図
【符号の説明】
１  押し上げ下げ用つまみ
２  二重層式標示板
３  チョウツガイ
４  箱内斜板
５  手提柄
６  ふた開閉
【図１】
2005329186.tif 000003
(57)【要約】【課題】靴へ、足を上から下ろすだけで、スム−ズに履きやすいように履き口から、つま先へ広く開閉できるようにした靴を提供する。【解決手段】靴の足の甲を包んでいる靴の上部へ、靴の履き口中心部より靴の先端である、つま先中心部に沿って広く開閉できるようにしたのが特徴である。開閉箇所にはファスナ−を装着し開閉できるようにする。また開閉箇所には、ホックとマジックテ−プも装着できるようにする靴である。【選択図】図２
2005329187.tif 000002
【特許請求の範囲】
【請求項１】
（イ）足の甲を包んでいる、靴の上部へ靴の履き口中心部より靴の先端である、足のつま先中心部まで開閉できるようにする。
（ロ）その靴の開閉する箇所にファスナ−を装着する。
【請求項２】
（イ）マジックテ−プを靴の上部を開閉にした請求項１の靴の開閉箇所に装着。
【請求項３】
（イ）ホックを靴の上部を開閉にした請求項１の靴の開閉箇所に装着。
以上の構成からなるつま先開き靴。
【発明の詳細な説明】
【技術分野】
【００１】本発明は、足の甲を包んでいる靴の上部へ靴の履き口中心部より靴の先端である、足のつま先まで開閉できるようにした靴に関するものである。
【背景技術】
【００２】従来の靴は、足の甲を包んでいる靴の上部が足のつま先まで開閉しない。
【発明の開示】
【発明が解決しようとする課題】
【００３】  そのために、次のような問題点があった。
（イ）靴を履くのに、足を斜めに入れなければ履けない。
（ロ）老人や病人の方々は、従来の靴を履くのに足を曲げるなどの苦痛と不便さがあった。
（ハ）従来の靴は、病人のリハビリ用に使用するには不便である。
本発明は、以上の問題点を解決するためのものである。
【問題を解決するための手段】
【００４】足の甲を包んでいる、靴の上部へ靴の履き口中心部より靴の先端である、足のつま先中心部まで開き、開いた箇所へファスナ−を装着して開閉できるようにする。
【発明の効果】
【００５】足の甲を包んでいる靴の上部が、靴の履き口より靴の先端であるつま先まで、広く開くので足を上から下ろすだけで容易に靴を履くことができる。
【発明を実施するための最良の形態】
【００６】以下、本発明の実施の形態について説明する。
（イ）靴の上部（５）を、（４）靴の履き口中心部より靴の（１）つま先中心部へ沿って開くようにする。
（ロ）靴の上部（５）を、開いた部分に（２）ファスナ−を装着する。
本発明は以上のような構成で、この靴を使用するときは、（２）ファスナ−で（４）靴の履き口中心部より（１）つま先中心部まで広く開閉できるので、足をスム−ズに入れやすくなり、靴も履きやすくなる。また図５に示すように、（２）ファスナ−の代わりに（７）ホック式、図６に示すように（８）マジックテ−プ式も装着することができる。
【図面の簡単な説明】
【００７】
【図１】本発明の足を入れるところを開いたときの斜視図
【図２】本発明の足を入れるところを開いたときの平面図
【図３】本発明の足を入れるところを閉じたときの斜視図
【図４】本発明の斜視図
【図５】本発明の斜視図
【図６】本発明の斜視図
【符号の説明】
【００８】１  つま先中心部
２  ファスナ−
３  靴の履き口
４  靴の履き口中心部
５  靴の上部
６  靴の先端中心部
７  ホック式
８  マジックテ−プ式
【図１】
2005329187.tif 000003
【図２】
2005329187.tif 000004
【図３】
2005329187.tif 000005
【図４】
2005329187.tif 000006
【図５】
2005329187.tif 000007
【図６】
2005329187.tif 000008
(57)【要約】【課題】本発明は、関節内部ならびに周囲の広い範囲を牽引し刺激を与えることによって、治療効果を高めるものである。【解決手段】イ）第１の固定手段（２）に弾性体（３）と第２の固定手段（４）を取り付ける。ロ）（イ）からなる牽引器を、構造体（６）上に配された第３の固定手段（５）に固定する。【選択図】図１
2005329190.tif 000002
【特許請求の範囲】
【請求項１】
弾性体の一端に手首周辺に固定するための第１の固定手段を有し、別の一端に第２固定手段を有する牽引式治療器。
【請求項２】
請求項１の牽引式治療器の第２の固定手段と係合する第３の固定手段を有する、牽引式治療補助器。
【請求項３】
弾性体の一端に手首周辺に固定するための第１の固定手段を有し、別の一端に第２固定手段を有する牽引式治療器と、第２の固定手段と係合する第３の固定手段を有した構造体とからなる牽引式治療器。
【発明の詳細な説明】
【技術分野】
【００１】本発明は、関節を牽引し伸ばすことにより患部を治療できる治療器についてである。
【背景技術】
【００２】肩凝りをほぐす場合、多くの治療器は、皮膚上から患部を刺激し治療しようとする。この場合、治療範囲が体表面付近に限定されてしまうため、関節内部の凝りは治療できない。よって、根本的な治療は不可能である。
【発明の開示】
【発明が解決しようとする課題】
【００３】関節を伸ばし開くことにより内部まで刺激を与えることが可能になり、深部にある凝りをまでをほぐすことができる。
【課題を解決するための手段】
【００４】体重移動と弾性体の反発力により関節を牽引し伸ばす。
【発明の効果】
【００５】関節周囲の広い範囲の組織が牽引され伸ばされるので治療効果が大きい。また、電源がいらないので（５）の第３の固定手段の代用具が存在する場所であれば、場所を問わず治療できる。
【発明を実施するための最良の形態】
【００６】イ）第１の固定手段（２）に弾性体（３）と第２の固定手段（４）を取り付ける。
ロ）（イ）から成る牽引器を、構造体（６）上に配された第３の固定手段（５）に固定する。
【実施例】
【００７】イ）第１の固定手段（２）に弾性体（３）と第２の固定手段（４）を取り付ける。
ロ）（イ）から成る牽引器を、構造体（６）上に配された第３の固定手段（５）に固定する。
ハ）肩凝りを例に取った場合、（イ）を装着した治療対象者は（ロ）の状態で、第３の固定手段（５）と反対方向に体重移動をすることにより肩関節を伸ばすことができる。第３の固定手段（５）を複数個配することにより図２のごとく牽引角度が自由に調節可能となる。
【図面の簡単な説明】
【００８】
【図１】第１の固定手段に弾性体と第２の固定手段を取り付けた図。
【図２】（図１）から成る牽引器を、構造体上に配された第３の固定手段に固定する図。
【符号の説明】
【００９】１          手
２          第１の固定手段
３          弾性体
４          第２の固定手段
５          第３の固定手段
６          構造体
【図１】
2005329190.tif 000003
【図２】
2005329190.tif 000004
(57)【要約】      （修正有）【課題】濡れた傘から流下する雨水を収集し、床面の乾燥を保ち集水後は簡単に水の排出が出来る。反復使用に耐え、簡便で実用性に富む雨傘専用水貯留及び排出器を提供する。【解決手段】頂面に数個の集水口と中間部には中空状水受部で水量が容易に確認出来、下部には止水、排水用のスプリング付押し棒で構成され、溜まった水は雨傘Ａを強く下に押しつけると、スプリング３とガスケット４により溜まっていた押棒は上に移動し、収集筒と押棒に隙間が出来、水は排出される。【選択図】図４
2005329183.tif 000002
【特許請求の範囲】
【請求項１】
上部に数カ所の集水口を有し、中間部には雨傘の頭部を挿し込む挿入部と中空水溜部及び下部には上部ガスケット付排水用のスプリング付棒状で出水孔を開く部分から構成され容易に水量が確認出来ることを特徴とする雨傘専用水貯留及び排出器。
【発明の詳細な説明】
【技術分野】
【０００１】  本発明は、濡れた傘に付いた水を収集及び排出を簡単及び迅速に行い反復使用出来る雨傘専用水貯留及び排出器に関するものである。
【背景技術】
【０００２】  雨天時に傘を差して歩いている人が公共の場所、事務所商店等に入ると濡れた傘の置き場に困る。
傘立ての有る場所では良いが無い時、雨水の付いた傘を持たなければならず荷物にもなり困りものでもある。
傘に付いた雨水により衣服に付いたり水滴の流下により床面が濡れ迷惑する物である。
【発明の開示】
【発明が解決しようとする課題】
【０００３】  本発明者は、雨傘の上記欠点を全面的に改良すべき長年の観察研究により本考案を完成するに至った。
本発明の主要目的は、濡れた傘から流下する水を収集して地面を清潔に保つ事が出来、集水後は簡単に何時でも何処の場所でも排水ができ、実用性を要し反復使用に供する雨傘専用水貯留及び排出器を提供する。
【課題を解決するための手段】
【０００４】  本発明は頂面に数個の集水口と中間部には中空状水受部と下部には止水、排水用のスプリング付押し棒で構成された事を特徴とする雨傘専用水貯留及び排出器を、内容としている。
【発明の効果】
【０００５】  本発明に係わる受水部にあっては、雨傘の頭部をその集水口に押し込むと傘から流下する水は中空水受部に溜まり水量も透明な容器で製作すると容易に確認でき静止状態の時は下部の排水棒のパッキンにより密封状態となり収集水が外に漏れる心配は無い。
現在、百貨店、スーパー、公共の建物に雨天時入る場合雨傘用の筒状ビニール袋を使用しているが、本発明品が使用されると、資源の無駄を防ぎ、産業廃棄物及び環境問題にも一役担う事になる。
【発明を実施するための最良の形態】
【０００６】  以下、本発明の実施の形態について説明する。
図１に示すように、本発明は一種の雨傘専用水受器で、
１．収集筒  ２．ガスケット  ３．スプリング  ４．押し棒  により構成される。
（イ）収集筒１の頂面には数個の集水口があり傘よりの雨水が入る。
（ロ）透明な容器で出来ているた為、溜まった水量が容易に確認出来る。
（ハ）溜まった雨水は下部ガスケットとスプリング付棒により漏れない。
（ニ）収集筒内の水を排出したい時は、屋外及び排出可能な場所で、傘を下の方に強く押しつけると、棒と収集筒に隙間が出来き、水が排出される。
（ホ）排出が終わるとスプリングの作用により元の位置に戻り反復利用できる。
【実施形態の効果】
【０００７】  以上説明したように、本発明は上記のように構成されたことにより、濡れた傘より流下する水を収集筒内に確実に収集し、床面を濡らさず乾燥と清潔を保ち、収集後は、収集筒と押棒との相対移動により水の排出を簡単に行う。反復使用により簡便で実用性に富む。
【図面の簡単な説明】
【０００８】
【図１】この発明の一実施形態を示す斜視図である。
【図２】組み立てた状態における水受器を示す斜視図である。
【図３】水受器の使用状態を示す正面図である。
【図４】水受器の作動状態を示す断面図である。
【符号の説明】
【０００９】  １．収集筒        ２．押棒      ３．スプリング
２．パッキン      ５．集水口    Ａ．雨傘
Ｗ．雨水
【図１】
2005329183.tif 000003
【図２】
2005329183.tif 000004
【図３】
2005329183.tif 000005
【図４】
2005329183.tif 000006